(57)【要約】      （修正有）【課題】分別・廃棄を容易にすべく分解可能であるにもかかわらず、強度低下、さらにそのデザイン性や機能性を高めた分解・組み立て式のゴルフバッグおよびゴルフバッグのデザイン変更システムを提供する。【解決手段】ゴルフバッグ１０は、前後左右の４本の縦材１６、それらの縦材の上端に連結される口枠１４および縦材の下端に連結される底板からなるフレーム１１と、前後の縦材の間に配置され、フレームに連結される左右一対のパネル１３と、フレーム内に設けられる袋体とを備えており、口枠および底板に縦材の上下端を連結するための連結部がそれぞれ形成されており、パネルがフレームに抜き差し自在に設けられており、縦材、口枠、底板、パネルおよび袋体に分解することができる。【選択図】図１
2016005546.tif 000002
【特許請求の範囲】
【請求項１】
前後左右の４本の縦材、それらの縦材の上端近辺に連結される口枠および前記縦材の下端近辺に連結される底板からなるフレームと、
前後の縦材の間に配置され、フレームに連結される左右一対のパネルと、
前記フレーム内に設けられる袋体とを備えており、
前記口枠および底板に縦材の上下の端部付近を連結するための連結部がそれぞれ形成されており、
前記パネルがフレームに抜き差し自在に設けられており、
前記縦材、口枠、底板、パネルおよび袋体に分解することができるものである、分解・組み立て式のゴルフバッグ。
【請求項２】
前記口枠にパネルを通すスリットが設けられており、
前記前後の縦材にパネルの両側をガイドするガイド溝が形成されており、
前記口枠にパネルの上端付近が係止されている、請求項１記載の分解・組み立て式のゴルフバッグ。
【請求項３】
前記口枠のスリットに袋体の開口端付近が挿し込まれて係止されている、請求項２記載の分解・組み立て式のゴルフバッグ。
【請求項４】
放射状に延びる３本の腕部を有するハンドルをさらに備えており、
前記ハンドルの各腕部が、前方の左右の縦材および口枠のそれら縦材の間の部位にそれぞれ連結されており、
前記ハンドルが、フレームから分離することのできる、請求項１または２記載の分解・組み立て式のゴルフバッグ。
【請求項５】
前記縦材がパイプ状の部材であり、
前記口枠の連結部が貫通孔で、底板の連結部が嵌合穴であり、
前記フレームが副袋を取り付けるための支持材を備えており、
その支持材が後方の左右の縦材にそれぞれ設けられており、
各支持材が、その下端が縦材の下端付近に取外自在に連結され、縦材の後方で縦材に平行に延びており、その上端が縦材の上端付近に連結されており、
後方の縦材の上下端に、左右一対でそれぞれ設けられるジョイントをさらに備えており、
そのジョイントが後方の縦材の端部が挿入される筒状部と、その筒状部から分岐して支持材の端部が挿入される分岐筒状部とからなり、
そのジョイントの筒状部が縦材の端部を挿入した状態で、前記口枠の貫通孔あるいは底板の嵌合穴に挿入されており、
前記前後の縦材の上端同士を連結すべく、前記貫通孔内の縦材に両端を嵌合される連結材をさらに備えており、
その連結材の端部がジョイントの筒状部に挿入されており、
前記ジョイント、支持材および連結材が、フレームから分離することのできる、請求項１、２、３あるいは４のいずれかに記載の分解・組み立て式のゴルフバッグ。
【請求項６】
前後左右の４本の縦材、それらの縦材の上端近辺に連結される口枠および前記縦材の下端近辺に連結される底板からなるフレームと、
前後の縦材の間に配置され、フレームに連結される左右一対のパネルと、
前記フレーム内に設けられる袋体とを備えており、
前記口枠および底板に縦材の上下の端部近辺を連結するための連結部がそれぞれ形成されており、
前記口枠にスリットが設けられ、口枠に袋体の開口端付近が挿し込まれて係止されており、
前記縦材、口枠、底板、パネルおよび袋体に分解することができるものである、分解・組み立て式のゴルフバッグ。
【請求項７】
請求項１、２、３、４、５あるいは６のいずれかに記載の分解・組み立て式のゴルフバッグと、
そのゴルフバッグに用いる交換用のパネルとからなる、ゴルフバッグのデザイン変更システム。
【請求項８】
３本以上の縦材を備え、隣接する縦材の間に塞がれるべき面を有する縦材フレームと、
前記縦材にスライドさせて取り付けられる１枚以上の外皮体とからなり、
各外皮体が塞ぐべき前記面の個数分の幅を有しており、
前記縦材フレームに取り付けられる外皮体の合計幅が前記縦材フレームの全ての面の合計幅とほぼ同じにされている、ゴルフバッグ。
【請求項９】
前記外皮体が、縦材に外挿するための筒部を備えている請求項８記載のゴルフバッグ。
【請求項１０】
前記外皮体の隣接する側縁同士を連結する機構が設けられている、請求項８記載のゴルフバッグ。
【請求項１１】
前記外皮体の全部または一部がパネル状に成形されており、
前記縦材のうち少なくとも１組の隣接する縦材にスリットがそれぞれ形成されており、
それらのスリットに前記パネル状に成形された外皮体の両側縁を挿し込むことにより、前記フレームの少なくとも１つの側面にパネル状の外皮体が取り付けられている、請求項８、９または１０のいずれかに記載のゴルフバッグ。
【発明の詳細な説明】
【技術分野】
【０００１】
本発明はゴルフバッグに関する。さらに詳細には、分解・組み立てが容易なゴルフバッグに関する。
【背景技術】
【０００２】
一般的なゴルフバッグ（キャディバッグ）は、ゴルフクラブを収納する有底円筒状のベルポーレンと、そのベルポーレンの上端に固定される口枠と、ベルポーレンを取り囲む柔軟な袋状の外皮とからなる。ベルポーレンは例えば硬質の合成樹脂あるいは発泡樹脂などからなる。そのベルポーレンの上端にはクラブ同士の接触を防ぐための仕切り枠を固定している。外皮は天然あるいは合成の皮革、あるいはナイロンなどの強度がある布地を縫製して形成し、ベルポーレンとの間に余裕をもたせて口枠などに固定している。そしてベルポーレンと外皮の隙間には、外皮の内面に取り付けた副袋を収容している。副袋は外皮に形成したスライドファスナーで、外部から靴やグローブあるいは着替えなどを出し入れできるようにしている。
このものは、ベルポーレンによりバッグ全体の強度を維持している。
【０００３】
また、特許文献１には、金属パイプで強度を維持するゴルフバッグが開示されている。このものは、強度メンバとして金属パイプを用い、そのパイプに袋体を吊っている。このため、袋体に収容されるゴルフクラブの重量はフレームで支持することができる。これにより、ベルポーレンに代えて軽量な薄手の外皮体を用いてパイプ間を塞ぐことができ、バッグの軽量化と強度向上を実現する、というものである。
【先行技術文献】
【特許文献】
【０００４】
【特許文献１】特開２００７−７５２９６号公報
【発明の概要】
【発明が解決しようとする課題】
【０００５】
ゴルフバッグは通常は大きく嵩張るものであり、重量もある。このため、それを廃棄するのは煩雑である。また、布、合成樹脂、金属などの素材が集合して一体とされているから、分別廃棄し難い。
一方で、分別を促進すべく、分解可能な構造を採用するほど、強度や剛性が低下し、さらにゴルフバッグの全体的な形状や機能が制限される傾向にある。特に、デザイン性、機能性の低下は、近年のデザインサイクルの短縮化と相まって、ゴルフバッグのデザインや機能に対する飽きや、利便性の低下をいち早く感じさせる一因になり得る。
このため、分別廃棄まで考慮すると、使用者の要求する強度、さらにはデザインや利便性を満足させるのは難しい。
【０００６】
そこで、本発明は分別・廃棄を容易にすべく分解可能であるにもかかわらず、強度が高く、さらにそのデザイン性や機能性の高い分解・組み立て式のゴルフバッグおよびゴルフバッグのデザイン変更システムを提供することを技術課題としている。
【０００７】
また通常、ゴルフバッグの購入において、購入予定者によりデザイン選択の幅を拡大させるような取り組みはあまり行われていない。購入予定者毎にデザインの変更が許されると、その変更のための機構を設けなければならず、ゴルフバックの構造を一層複雑にする。
【０００８】
そこで、本発明は、購入予定者が自ら真に気に入るであろうデザインに接近させるのに効果的な部材についてデザインの変更をさせ、その上でその変更を簡易な構成で実現するゴルフバッグを提供することを第２の技術課題としている。
【課題を解決するための手段】
【０００９】
（１）本発明の分解・組み立て式のゴルフバッグは、前後左右の４本の縦材、それらの縦材の上端近辺に連結される口枠および前記縦材の下端近辺に連結される底板からなるフレームと、前後の縦材の間に配置され、フレームに連結される左右一対のパネルと、前記フレーム内に設けられる袋体とを備えており、前記口枠および底板に縦材の上下の端部付近を連結するための連結部がそれぞれ形成されており、前記パネルがフレームに抜き差し自在に設けられており、前記縦材、口枠、底板、パネルおよび袋体に分解することができるものである、ことを特徴としている。
ここで、フレームに対し抜き差し自在とは、フレームをパネルの抜き差しの枠として用いることである。
【００１０】
（２）このような組み立て式のゴルフバッグでは、前記口枠にパネルを通すスリットが設けられており、前記前後の縦材にパネルの両側をガイドするガイド溝が形成されており、前記口枠にパネルの上端付近が係止されているものが好ましい。
【００１１】
（３）さらに、前記口枠のスリットに袋体の開口端付近が挿し込まれて係止されているものが好ましい。
【００１２】
（４）さらに、放射状に延びる３本の腕部を有するハンドルをさらに備えており、前記ハンドルの各腕部が、前方の左右の縦材および口枠のそれら縦材の間の部位にそれぞれ連結されており、前記ハンドルが、フレームから分離することのできるものが好ましい。
【００１３】
（５）さらに、前記縦材がパイプ状の部材であり、前記口枠の連結部が貫通孔で、底板の連結部が嵌合穴であり、前記フレームが副袋を取り付けるための支持材を備えており、その支持材が後方の左右の縦材にそれぞれ設けられており、各支持材が、その下端が縦材の下端付近に取外自在に連結され、縦材の後方で縦材に平行に延びており、その上端が縦材の上端付近に連結されており、後方の縦材の上下端に、左右一対でそれぞれ設けられるジョイントをさらに備えており、そのジョイントが後方の縦材の端部が挿入される筒状部と、その筒状部から分岐して支持材の端部が挿入される分岐筒状部とからなり、そのジョイントの筒状部が縦材の端部を挿入した状態で、前記口枠の貫通孔あるいは底板の嵌合穴に挿入されており、前記前後の縦材の上端同士を連結すべく、前記貫通孔内の縦材に両端を嵌合される連結材をさらに備えており、その連結材の端部がジョイントの筒状部に挿入されており、前記ジョイント、支持材および連結材が、フレームから分離することのできるものが好ましい。
【００１４】
（６）本発明のゴルフバッグの第２の態様は、前後左右の４本の縦材、それらの縦材の上端近辺に連結される口枠および前記縦材の下端近辺に連結される底板からなるフレームと、前後の縦材の間に配置され、フレームに連結される左右一対のパネルと、前記フレーム内に設けられる袋体とを備えており、前記口枠および底板に縦材の上下の端部近辺を連結するための連結部がそれぞれ形成されており、前記口枠にスリットが設けられ、口枠に袋体の開口端付近が挿し込まれて係止されており、前記縦材、口枠、底板、パネルおよび袋体に分解することができるものであることを特徴としている。
【００１５】
（７）本発明のゴルフバッグのデザイン変更システムは、前述の分解・組み立て式のゴルフバッグと、そのゴルフバッグに用いる交換用のパネルとからなることを特徴としている
。
【００１６】
（８）本発明のゴルフバッグは、３本以上の縦材を備え、隣接する縦材の間に塞がれるべき面を有する縦材フレームと、前記縦材にスライドさせて取り付けられる１枚以上の外皮体とからなり、各外皮体が塞ぐべき前記面の個数分の幅を有しており、前記縦材フレームに取り付けられる外皮体の合計幅が前記縦材フレームの全ての面の合計幅とほぼ同じにされていることを特徴としている。
【００１７】
（９）このようなゴルフバッグでは、前記外皮体が、縦材に外挿するための筒部を備えているものが好ましい。
【００１８】
（１０）さらに、前記外皮体の隣接する側縁同士を連結する機構が設けられているものが好ましい。
【００１９】
（１１）さらに、前記外皮体の全部または一部がパネル状に成形されており、前記縦材のうち少なくとも１組の隣接する縦材にスリットがそれぞれ形成されており、それらのスリットに前記パネル状に成形された外皮体の両側縁を挿し込むことにより、前記フレームの少なくとも１つの側面にパネル状の外皮体が取り付けられているものが好ましい。
【発明の効果】
【００２０】
（１）本発明のゴルフバッグは、パネルがフレームに抜き差し自在に設けられているから、広い表面積を占める前記パネルを、デザインの異なる他のパネルに容易に交換することができる。これにより、ゴルフバッグの見た目の印象を容易に変化させることができる。そして、所有者はデザインに飽きず、長く使用することができる。
そして、パネルを前後の縦材の間に設けているから、分解可能でありながら、差し込まれた際にパネルと縦材が一体となって強度を向上させることができる。
さらに、ゴルフバッグを縦材、口枠、底板、パネルおよび袋体に分解することができるから、嵩張らず、廃棄が容易である。そして、各パーツに分解できるから、分別した廃棄が容易である。
さらに、パーツ単位で交換できるから、色や形状といったデザインや寸法を部分的に変更することができる。これにより、使用の状況に応じて異なる利便性を付与したり、それをさらに高めることができる。このため、所有者は、ゴルフバッグのデザインや機能に対し、長期に渡り、満足することができ、その上で廃棄物の減容および分別廃棄を容易にすることができる。
【００２１】
（２）このようなゴルフバッグにおいて、前記口枠にパネルを通すスリットが設けられており、前記左右の縦材にパネルの両側をガイドするガイド溝が形成されており、前記口枠にパネルの上端付近が係止されている場合は、パネルの交換が一層容易であり、パネルを口枠に係止させることがきる。そして、パネルを差し込むと、口枠および前後の縦材がパネルを介して一体となるから、一層フレームの強度が向上する。
【００２２】
（３）前記口枠のスリットに袋体の開口端付近が挿し込まれて係止されている場合は、袋体内のゴルフクラブの荷重が口枠を介して、４本の縦材に均等に伝達されるから、フレームに局所的な負荷が加わるのを防止できる。
【００２３】
（４）放射状に延びる３本の腕部を有するハンドルを備えており、前記ハンドルの各腕部が、後方の左右の縦材および口枠のそれら縦材の間の部位にそれぞれ連結されており、前記ハンドルが、フレームから分離することのできる場合は、後方の左右の縦材と口枠とが連結されているから、より一層フレームの強度を高めることができる。そして、ハンドルを分離して、異なるデザインや機能を有するものに取り換えることができる。
【００２４】
（５）さらに、前記縦材がパイプ状の部材であり、前記口枠の連結部が貫通孔で、底板の連結部が嵌合穴であり、前記フレームが副袋を取り付けるための支持材を備えており、その支持材が後方の左右の縦材にそれぞれ設けられており、各支持材が、その下端が縦材の下端付近に取外自在に連結され、縦材の後方で縦材に平行に延びており、その上端が縦材の上端付近に連結されており、後方の縦材の上下端に、左右一対でそれぞれ設けられるジョイントをさらに備えており、そのジョイントが後方の縦材の端部が挿入される筒状部と、その筒状部から分岐して支持材の端部が挿入される分岐筒状部とからなり、そのジョイントの筒状部が縦材の端部を挿入した状態で、前記口枠の貫通孔あるいは底板の嵌合穴に挿入されており、前記前後の縦材の上端同士を連結すべく、前記貫通孔内の縦材に両端を嵌合される連結材をさらに備えており、その連結材の端部がジョイントの筒状部に挿入されており、前記ジョイント、支持材および連結材が、フレームから分離することのできる場合は、ジョイントを介して、連結材および支持材によって口枠とフレームの後側とが一体化するので、一層強度および剛性が高く、型くずれしにくい。そして、前記ジョイント、支持材および連結材を分離して、異なるデザインや機能を有するものに取り換えることができる。
【００２５】
（６）さらに、本発明のゴルフバッグは、広い表面積を占める前記パネルを、デザインの異なる他のパネルに易に交換することができきる。これにより、ゴルフバッグの見た目の印象を容易に変化させることができる。そして、所有者はデザインに飽きず、長く使用することができる。
そして、パネルを前後の縦材の間に設けているから、分解可能でありながら、差し込まれた際に一体となって強度を向上させることができる。
さらに、ゴルフバッグを縦材、口枠、底板、パネルおよび袋体に分解することができるから、嵩張らず、廃棄が容易である。そして、各パーツに分解できるから、分別した廃棄が容易である。
さらに、パーツ単位で交換できるから、色や形状といったデザインや寸法を部分的に変更することができる。これにより、使用の状況に応じて異なる利便性を付与したり、それをさらに高めることができる。このため、所有者は、ゴルフバッグのデザインや機能に対し、長期に渡り、満足することができ、その上で廃棄物の減容および分別廃棄が容易である。
さらに、前記口枠のスリットに袋体の開口端付近が挿し込まれて係止されているから、袋体内のゴルフクラブの荷重が口枠を介して、４本の縦材に均等に伝達され、フレームに局所的な負荷が加わるのを防止できる。
【００２６】
（７）さらに、本発明のゴルフバッグのデザイン変更システムは、前述の分解・組み立て式のゴルフバッグと、そのゴルフバッグに用いる交換用のパネルとからなるので、広い面積を占めるパネルを変更することにより、見た目の印象を大きく変更させることができ、デザインを長期に渡りカスタマイズできる。したがって、一層飽きず、所有者に長く使用させることができ、廃棄物の減容および分別廃棄の効果を一層長く持続させることができる。
【００２７】
（８）本発明のゴルフバッグは、３本以上の縦材を備え、隣接する縦材の間に塞がれるべき面を有する縦材フレームと、前記縦材にスライドさせて取り付けられる１枚以上の外皮体とからなり、各外皮体が塞ぐべき前記面の個数分の幅を有している。その上で、前記縦材フレームに取り付けられる外皮体の合計幅が前記縦材フレームの全ての面の合計幅とほぼ同じにされている。このため、例えば縦材が４本の場合は、１面の幅の外皮体と３面の幅の外皮体とを組み合わせて４面の幅（合計幅）として、１つのゴルフバッグのデザインを決定することができる。その上で、このような外皮体を縦材にスライドさせて取り付けるから、組み立てが容易である。
例えば、３面の幅を用いてデザインを表示すると、１面の幅を３つ用いてデザインを表示するのに比べて、継ぎ目のない滑らかな３面の幅の大きなデザインを表示することができる。
このように人目に付きやすく、そして全体的なデザインに大きく貢献しているであろう外皮体を、面単位で準備しているから、一面毎にデザインを準備できるばかりでなく、例えば２面の幅の外皮体＋２面の幅の外皮体というようなバリエーションを用意することができる。このため、単に一面毎にデザインを用意する以上にデザインバリエーションが豊富であり、購入予定者のデザイン選択の自由度が高めることができる。そして、購入予定者の自身の真に気に入るであろうデザインに接近する可能性が高まる。
【００２８】
（９）このようなゴルフバッグでは、前記外皮体が、縦材に外挿するための筒部を備えている場合は、筒部に縦材を通すだけでよいので、組み立てが容易である。
【００２９】
（１０）さらに、前記外皮体の隣接する側縁同士を連結する機構が設けられている場合は、複数の外皮体を連結して、一体にすることができる。
【００３０】
（１１）さらに、前記外皮体の全部または一部がパネル状に成形されており、前記縦材のうち少なくとも１組の隣接する縦材にスリットがそれぞれ形成されており、それらのスリットに前記パネル状に成形された外皮体の両側縁を挿し込むことにより、前記フレームの少なくとも１つの側面にパネル状の外皮体が取り付けられている場合は、パネル状の外皮体を組み込むことにより、材質、色感、形状から得られるゴルフバックの全体の風合いに変化を付けることができる。
【図面の簡単な説明】
【００３１】
【図１】図１は本発明のゴルフバッグの一実施形態を示す分解斜視図である。
【図２】図２は本発明のゴルフバッグのデザイン変更システムの一実施形態を示す概略図である。
【図３】図３ａは図１に示す口枠の芯材の平面図、図３ｂは図３ａの正面図、図３ｃは図３ａの下面図、図３ｄは図３ａの背面図、図３ｅは図３ａの右側面図である。
【図４】図４ａは図１に示すジョイントの平面図、図４ｂは図４ａの正面図、図４ｃは縦材の断面図である。
【図５】図５ａは図１に示すハンドルの平面図、図５ｂは図５ａの正面図、図５ｃは図５ａの下面図、図５ｄは図５ａの背面図、図５ｅは図５ａの右側面図である。
【図６】図６ａは図１に示すパネルの平面図、図６ｂは図６ａのＡ−Ａ線断面図、図６ｃは図６ａの側面図である。
【図７】図７は本発明の他の実施形態を示す部分分解斜視図である。
【図８】図８は本発明の他の実施形態を示す口枠の平面図である。
【図９】図９は図７のＢ−Ｂ線断面を示す概略断面図である。
【図１０】図１０は本発明のゴルフバッグの他の実施形態を示す斜視図である。
【図１１】図１１ａは図１０のゴルフバッグに用いる縦材フレームに外皮体を取り付ける様子を示す分解斜視図、図１１ｂは図１１ａの平面図である。
【図１２】図１２は図１１の外皮体を取り付けた縦材フレームをゴルフバッグに組み立てる様子を示す分解斜視図である。
【図１３】図１３は図１０のゴルフバッグの変形例の概略を示す平面図である。
【図１４】図１４は本発明のゴルフバッグのさらに他の実施形態を示す斜視図である。
【図１５】図１５は図１４のゴルフバッグのさらに他の実施形態の外皮体を取り付ける様子を示す分解斜視図である。
【図１６】図１６は図１５の外皮体を取り付けた縦材フレームをゴルフバッグに組み立てる様子を示す分解斜視図である。
【図１７】図１７は外皮体群のデータ構造を示す概略図である。
【図１８】図１８は本発明のゴルフバッグの外皮体のパターンを特定する方法を示す概略フロー図である。
【発明を実施するための形態】
【００３２】
図１を用いて本発明のゴルフバッグの実施形態を説明する。図１に示すゴルフバッグ１０は、フレーム１１と、そのフレームに吊り下げられる、ゴルフクラブを収容する袋体１２（図２の想像線参照）と、フレームの外面に取り付けられるパネル１３とからなる。
【００３３】
前記フレーム１１は、前後左右４本の縦材１６（左前）、１７（右前）、１８（左後）、１９（右後）と、それらの縦材の上端近辺に連結される袋体１２（図２参照）およびパネル１３の上端を保持する環状の口枠１４と、前記縦材の下端に連結され、袋体１２およびパネル１３の下端を保持する底板１５と、前後の縦材１６、１８、さらに前後の縦材１７、１９の上端同士をそれぞれ連結する連結材２０、２０とからなる。
また、フレーム１１の平面形状は略台形状を呈しており、前側の縦材１６、１７の間隔は後側の縦材１８、１９の間隔より狭い。
【００３４】
前記フレーム１１を構成する縦材は、ポリカーボネート（ＰＣ）であり、その他の合成樹脂であってもよい。さらに、金属パイプであってもよく、その材質はアルミニウム製、アルミニウム合金製あるいはチタン合金製など、軽量で強度が高いものが好ましい。また、ガラス繊維やカーボン繊維などの繊維で強化した合成樹脂製パイプを用いることもできる。
図４ｃに示すように、その断面形状は穴の中で回転しないように略小判型にされており、ねじれに強い構造とされている。
【００３５】
前記口枠１４は環状の芯材１４ａ（図３参照）と、その芯材に被せられる、左右分割したカバー１４ｂ、１４ｂとからなる。
前記底板１５は、フレーム１１の下部を連結する芯材１５ａと、その周囲に被せられる、左右に分離しているカバー１５ｂ、１５ｂとからなる。
【００３６】
図３に示すように、前記口枠の芯材１４ａは、合成樹脂などから環状に形成されており、その周囲には左右に分割したカバー１４ｂ（図１参照）が被せられている。この実施形態では、カバー１４ｂは芯材１４ａの側面の取付孔１４ｅにネジなどで取り付けられ、芯材１４ａとカバー１４ｂの間にパネル１３の上端を挟み込んで固定している。なお、カバーの内面に合成樹脂製の突起を設けて、その突起を前記取付孔１４ｅに押し込んで嵌合させるようしてもよい。
前記芯材１４ａの四隅には、上下方向に貫通する連結部（以下、貫通孔）１４ｃが形成されており、前記縦材が連結される。それら貫通孔１４ｃは小判状の縦材を貫通すべく、略同形状にされている。そして、小判型の長軸を前後方向に対して傾ける、すなわち平面視で矩形状の芯材１４ａの四隅をトリミングしたように配置されている。
また、前記芯材１４ａの左右の側縁付近には、上下方向に貫通し、かつ、前後方向に延びるスリット１４ｄがそれぞれ形成されている。
そのスリット１４ｄに袋体１２（図２参照）が下方から通され、上方に被さり、そこで係止されている（図３ｂの二点鎖線参照）。
【００３７】
図１に戻って、前記底枠の芯材１５ａは、合成樹脂、金属板などを環状に成形することにより構成することができる。その芯材１５ａの上面の四隅には、連結部（以下、嵌合穴）１５ｃが形成されている。その嵌合穴１５ｃに縦材は嵌合して連結される。その配置は、前述した芯材１４ａと同様に四隅をトリミングしたような態様で配置されている。なお、その嵌合穴１５ｃに縦材を嵌合させた後、さらにネジなどで螺着して連結してもよい。
なお、連結部としては、前記貫通孔１４ｃ、嵌合穴１５ｃの他に、パイプ状の縦材の内
部に、芯材１４ａ、１５ａの天面および底面から突出する突起を押し入れて嵌合するものでもよく、連結した後に再度分解可能なものである。
【００３８】
前記フレーム１１は、衣服などを入れる副袋２５（図２参照）を取り付けるための支持材２２、２２をさらに備えている。その支持材２２、２２は、後方の縦材にジョイント２４、２４を介してそれぞれ設けられている。その支持材２２、２２は、その下端が後方の縦材１６、１７の下端付近にそれぞれ連結され、前記縦材の後方に平行に延びており、その上端が前記縦材１８、１９の上端付近にそれぞれ連結されている。
【００３９】
前記ジョイント２４は、後方の縦材１８、１９の上下端に、それぞれ設けられている。そのジョイント２４は（図４ａおよび図４ｂ参照）、後方の縦材の端部が挿入される筒状部２４ａと、その筒状部２４ａの一端から分岐して支持材２２の端部が挿入される分岐筒状部２４ｂとを備えている。
そのジョイントの筒状部２４ａは、後方の縦材１６、１７の上下の端部近辺をそれぞれ挿入した状態で、前記口枠の貫通孔１４ｃあるいは底板の嵌合穴１５ｃに挿入される。そのジョイント２４は、フレーム１１から分離することができる。
【００４０】
前記連結材２０は、本実施形態ではポリカーボネートで形成される部材である。その連結材２０の端部は（図５参照）、本体部２０ａと、その本体部２０ａの両端部の挿入部２０ｂ、２０ｂとからなる。その挿入部２０ｂは、口枠の本体部１４ａの上面から貫通孔１４ｂに通されている前記ジョイントの筒状部２４ａに挿入されている。その連結材２０は、挿入された状態で、本体部２０ｂをいくらか上方かつ外向きに延ばしており、口枠の芯材１４ａの側縁との間に、手指を差し込むできる程度の隙間を空けて配置されている。このため、連結材２０を持ってゴルフバッグを動かすことができる。
なお、連結材２０の材質として、他の合成樹脂や、ガラス繊維やカーボン繊維などの繊維で強化した合成樹脂製パイプを用いることもできる。
【００４１】
前記フレーム１１には、ハンドル２１が取外自在に連結されている。そのハンドル２１は（図５参照）、放射状に延びる３本の腕部２１ａ、２１ａ、２１ｂを有している。左右に延びている腕部２１ａ、２１ａの先端は、前後の縦材を通すべく空洞にされている。一方、中央上向きに延びている腕部２１ａの先端は、芯材１４ａの嵌合部１４ｅ（図３ｂ参照）にスナップフィットできるようにされている。
そして、そのハンドル２１は、フレーム１１から分離できるようにされている。なお、底板１５まで延びる腕部を追加して、フレーム１１の剛性を高めてもよい。
前記ハンドル２１の表面には、金属部材２１ｃ（図１参照）が嵌め込まれている。
【００４２】
前記パネル１３は、前後の縦材１６、１８および１７、１９の間を塞いでいる左右一対のパネルである。そのパネル１３（図６ａおよび図６ｂ参照）の両側縁には、前記縦材の外周面に沿うように湾曲した湾曲部１３ａ、１３ａが形成されている。
このようなパネル１３は、本実施形態ではポリカーボネートが用いられている。そのパネル１３は、図１に示すように、前述の上下のカバー１４ｂ、１５ｂとリベットで口枠の芯材１４ａ（図３ａ参照）および底枠の芯材１５ａに固定されている。
そのパネル１３は、外部から内部の袋体１２への打突を防止できるように剛性の高い材質の合成樹脂が好ましい。その他、軽量なアルミなどの金属板を用いてもよい。さらに、前記パネルの全部または一部を太陽電池パネルとし、ゴルフ場において電子機器に電気を供給できるようにしてもよい。そして、パネルにタッチパネル式のインターフェースなどの板状の電子機器を設けてもよい。
前記パネル１３には、その表面に装飾が施されている。例えば、模様、色、写真、その表面の凹凸形状などである。
なお、湾曲部１３ａ、１３ａを設けなくてもよい。
【００４３】
図２に示す前記袋体１２は、上端の開口部の周囲が口枠の芯材１４ａによって吊られており、前部には前側の縦材１６、１７に止めるための環状ないし筒状の止めベルト２３が設けられている。袋体１２および止めベルト２３は、ナイロン、キャンバス地など、強度が高い織物地（布）を縫製したものが好ましい。
【００４４】
この実施形態では支持材２２、２２には、衣類や小物を入れるための副袋２５（図１の想像線参照）が設けられ、その副袋２５の上下左右の４か所に止めベルト２５ａが縫いつけられている。そして左および右の上下に配置した止めベルト２５ａに左右の支持材２２、２２がそれぞれ通されている。
【００４５】
さらに、前方の縦材１６、１７には、ゴルフボールなどを入れる前ポケット２６が設けられている。その前ポケット２６は、前方の左右の縦材１６、１７をハンドルの下方で連結する渡り部材２７に取り付けられている。その渡り部材２７の両端には、縦材が貫通する孔２７ａ、２７ａが形成されている。
【００４６】
次に、本発明のゴルフバッグの他の実施形態を示す。この実施形態では、パネル１３がフレーム１１に対し抜き差し自在にされている。例えば、図７に示すように、左右の縦材１６、１８（１７、１９）にそれぞれガイド溝２８、２８を形成し、そのガイド溝２８、２８にパネル１３の湾曲部１３ａ、１３ａをガイドさせている。
【００４７】
前記ガイド溝２８は、縦材の長軸にほぼ沿うように形成されている。前記縦材は、その長軸を前後方向に対して傾ける、すなわち平面視で矩形状の芯材１４ａの四隅をトリミングしたように配置されているから、ガイド溝２８、２８は平面視で互いのガイド溝の開口を近づける方向に傾いている。このため、湾曲部１３ａ、１３ａを有するパネル１３をガイドすることができ、そのパネル１３がガイド溝２８から抜けにくい構造となっている。
なお、前記ガイド溝２８は、押出し成形された縦材にその断面形状として形成されているが、上述した図１の縦材の外面に断面Ｌ字状のガイド片を溶着して設けてもよい。
【００４８】
さらに、本実施形態では、パネル１３を口枠のスリット１４ｄに通している。例えば、図８に示すように、口枠１４のスリット１４ｄの両端を貫通孔１４ｃに連通させる切り欠き２９を設けている。これにより、前記スリット１４ｄの上空からパネル１３の下端を差し込んで、そのまま湾曲部１３ａを切り欠き２９を介してガイド溝２８へ導くことができる。
【００４９】
次いで、パネル１３をその下端が底板１５にぶつかるまで挿し込むと、そのパネル１３を口枠に係止する。例えば、図９に示すように、口枠のスリット１４ｄ内には、固定爪３０が設けられている。その固定爪３０は、パネル１３をスリットに挿通する際には、押動されて撓み、その突出部３０ａが口枠１４の内側に入り込んで、パネル１３の挿通の邪魔にならない位置に配置される。そして、パネル１３の上端が固定爪の突出部３０ａを超えると、スリット１４ｄ内に突出し、パネル１３が上方に抜け出るのを防止する。
【００５０】
前記パネル１３は、一枚の板状の部材であるが、複数の板材から構成してもよい。例えば、細長い板状のパネルを前記ガイド溝に通し、そのパネルの上から新たなパネルを通し、最初のパネルの上面に当接するようにし、順次縦材の上端まで積み上げてもよい。その場合、パネルの下端の外面側に下のパネルの上端に被さる断面Ｌ字状の整列片を設けると、複数のパネルを一体とすることができる。
そして、積み上げられるパネル毎にデザインを変更したり、交換したりすることができる。
さらに、積み上げられるパネルのいくつかを太陽電池パネルとし、ゴルフ場において電
子機器に電源を供給できるようにしてもよい。
さらに、前記パネルの１つあるいは複数に液晶パネルや、タッチパネル式のインターフェースなどの板状の電子機器を設けてもよい。
【００５１】
前記パネル１３を口枠のスリット１４ａに通さずに、前記連結材２０で縦材の開口を塞ぐことにより、パネル１３の抜けを防止してもよい。
また、パネルが湾曲部１３ａを有しない場合には、パネルの側縁付近をガイドさせてもよい。その場合には、パネルの側縁部の断面形状および対応するガイド溝２８の形状を鉤状あるいはコ字状にして、パネルの面と垂直な方向に対し、パネル１３がフレーム１１から容易に外れない構造としてもよい。
さらに、パネル１３の上端に係合孔を設け、その孔に固定爪の突出部３０ａが係合によりパネルを係止するようにしたり、パネル１３側に設けた爪を口枠に形成した孔に係合させ、パネルを係止してもよい。
【００５２】
ゴルフバッグのデザイン変更システム３１（図２参照）は、前述の分解・組み立て式のゴルフバッグ１０と、そのゴルフバッグに用いる交換用のパネル１３ａとからなる。交換されるパネル１３ｂは、表面の装飾の異なる物を用いる。図では、パネル１３を固定するゴルフバッグ１０を示しているが、前述のパネル１３をフレームに抜き差し自在にしたゴルフバッグに用いてもよい。
【００５３】
また、前記縦材、口枠、底板、連結材、パネル、ジョイントおよび袋体は、各パーツの連結構造を同一としており、色、形状、寸法を変更したパーツに交換することによって、好みや流行に応じたデザインに変更することができる。
【００５４】
図１０および図１１ａ、図１１ｂを用いて本発明のゴルフバッグの一実施形態を説明する。図に示すゴルフバッグは、上述したゴルフバッグ１０とほぼ同じであるので、同じ部分には同じ符号を付してその説明を省略する。
図１０に示すゴルフバッグ３２は、４本の縦材１６、１７、１８、１９（図１１ａ参照）からなる縦材フレーム３４を布材からなる外皮体３３で囲っている。それらの隣り合う縦材の間には前記外皮体３３によって塞がれるべき面が形成されている。前記外皮体３３は１枚で縦材フレーム３４を一周している。そして、前記外皮体３３は一枚で４個の前記面を塞いでいる（図１１ｂ参照）。
【００５５】
前記外皮体３３には、縦材１６、１７、１８、１９を挿し込むための４本の筒部３５が上下に延びるように設けられている。それらの筒部は、例えば外皮体と同じ素材で形成され、縫合などによって連結されている。その筒部３５に縦材が挿し込まれることにより、外皮体３３は縦材フレーム３４に取り付けられ、左右・前後方向の移動がいくらか規制される。そして、その筒部３５は縦材の軸方向（上下方向）に長く延びて、縦材を隠している。この実施形態では外皮体に左右の面側のポケット２６ａ（図１２参照）および後面側のポケット２６ｂが設けられている。
【００５６】
また、前記外皮体３３の縦材１６（左前）の右側には、ファスナー３６が設けられている。そのファスナー３６を閉じて外皮体３３を筒状にすると、ゴルフクラブが外皮体３３の内部から外部に飛び出すのを防止できる。なお、ファスナーを設けず、外皮体を筒状にしてもよい。
【００５７】
図１２に示すように、縦材フレーム３４の上端には口枠１４が取り付けられ、ネジ３７で締結される。さらに前記外皮体３３の上端付近は、口枠カバー１４ｂに縫い付けられる。なお、ボタン、ホックなどで固定してもよい。
そして、縦材フレーム３４の下端には底板１５が嵌合により固定される。なお、ネジで
締結してもよい。
前側の左右の縦材１６、１７には、ハンドル２１が設けられる。そのハンドル２１の下端は、前記左右の縦材１６、１７を貫通するピン３８ａで固定される軸３８に枢支される。また、前記ハンドル２１の上端にはベルト２１ｃが設けられており、口枠カバー１４ｂの前面に設けられたバックル１４ｇに係止される。
さらに、前記ハンドル２１の下方には副袋２５が設けられている。その副袋２５の上端の止めベルト２５ａは、前記縦材フレーム３４に設けられた軸３８に通された金具３９に係止される。前記副袋２５の下端の両脇からは帯２５ｂ、２５ｂがそれぞれ延びており、外皮体３３の前側の左右の縦材１６、１７を通した筒部３５、３５に設けられた締結輪４０、４０に結ばれる。
【００５８】
図１３ａ〜ｄは図１１のゴルフバッグの変形例の概略を示す平面図である。なお、図中に示す前後左右の矢印の方向を用いて、隣接された縦材の間の塞がれるであろう面を特定している。そして、１面を塞ぐことのできる幅を有する外皮体を第１外皮体４５とし、２面を塞ぐことのできる幅を有する外皮体を第２外皮体４６とし、３面を塞ぐことのできる幅を有する外皮体を第３外皮体４７としている。
さらに、図１３ａ〜ｄに示している４つのゴルフバッグの縦材フレームは、平面視で台形の頂点付近に配置されており、その左右の面の幅は同じである。さらに、本変形例において隣接する外皮体同士はファスナーで連結されているが、図示していない。
【００５９】
図１３ａに示すゴルフバッグ４１では、後面と左右の面からなる３面を塞ぐことのできる幅を有する第３外皮体４７ａと、前面の１面を塞ぐことのできる幅を有する第１外皮体４５ａとからなる。
図１３ｂに示すゴルフバッグ４２では、前述したゴルフバッグ４１と同様に３面を塞ぐことのできる幅を有する外皮体と、１面の幅を有する外皮体からなるが、前面および左右の面を塞ぐ幅を有する第３外皮体４７ｂと、後面を塞ぐことのできる幅を有する第１外皮体４５ｂとからなり、ゴルフバッグ４１の各外皮体とその幅が異なる。
図１３ｃに示すゴルフバッグ４３でも同様に３面の幅＋１面の幅を塞ぐ外皮体からなるが、前後面および左面を第３外皮体４７ｃで塞ぎ、右面を第１外皮体４５ｃが塞いでいる。
さらに、図１３ｄに示すゴルフバッグ４４は、２面の幅＋２面の幅を塞ぐ第２外皮体４６ａ、４６ｂからなる。具体的には、前面および右面を塞ぐのが第２外皮体４６ａで、残りを第２外皮体４６ｂが塞いでいる。
【００６０】
次に図１４および図１５を用いて本発明のゴルフバッグ３２のさらに他の実施形態を説明する。この実施形態のゴルフバッグ４８は、図１０で説明したゴルフバッグ３２とほぼ同じであるので、同じ部分には同じ符号を付してその説明を省略する。図１５に示すように、縦材フレーム３４に１面を塞ぐことのできる幅を有する４枚の第１外皮体４５ａ、４５ｂ、４５ｃ、４５ｃが取り付けられる様子を示している。なお、第１外皮体４５ａは前面、第１外皮体４５ｂは後面、そして第１外皮体４５ｃ、４５ｃは左右の面を塞いでいる。
この実施形態における前後の面を塞ぐ第１外皮体４５ａ、４５ｂの両側縁付近には棒状部材５０を挿入するための小径の筒部４９が形成されている。その小径の筒部４９に剛性の高い棒状部材５０を通すことにより、外皮体が拡がって隙間が形成されるのが防止される。したがって、ゴルフクラブの飛び出しが防止される。なお、棒状部材の材質としては、カーボンファイバー、ＦＲＰなどの材質を用いることができる。
さらに、この実施形態における左右の第１外皮体４５ｃ、４５ｃの各外皮体の両側縁の筒部３５ａ、３５ａは、外皮体４５ｃの側縁の上下方向の中央付近に設けられており、その上下端まで延びていない。一方、前後の第１外皮体４５ａ、４５ｂの各外皮体の両側縁の上下端付近に筒部３５ｂ、３５ｂが設けられている。前記縦材は、その中央付近を筒部
３５ａにより隠され、上下端付近を筒部３５ｂ、３５ｂで隠されることにより、全体的に縦材を隠している。
【００６１】
図１６に示すように、このゴルフバッグ４８の口枠１４および底板１５のそれぞれの左右の側面にはハンガー１４ｈが設けられ、ハンガー１４ｈと口枠１４、底板１５の側面との間に上下方向に抜ける開口部が形成されている（図１４参照）。
また、左右の第１外皮体４５ｃ、４５ｃの上下端には延長部５１がそれぞれ設けられている。各延長部５１からは左右にベルト５２、５２が延びている。そして、前記延長部５１はハンガー１４ｈの開口に上向きあるいは下向きに挿し込まれ、挿し込み方向と反対向きに折り返されることにより、ハンガー１４ｈに引っ掛けられる。
さらに、前後の第１外皮体４５ａ、４５ｂのそれぞれの上下の縁にはそれぞれ左右一対の環状部５３、５３が設けられている。各環状部５３は前記ハンガー１４ｈに引っ掛けられた第１外皮体のベルト５２が通され、係止される。これにより、ハンガー１４ｈに前後左右の第１外皮体を係止させている（図１４参照）。
【００６２】
前記外皮体にはポケット２６を設けたデザインや、ポケットを設けないデザインがあってもよい。例えば、３面の幅を塞ぐことのできる幅を有する第３外皮体４７には、面を跨ぐように大きなポケットを設けたり、複数のポケットを設けるのが容易である。
また、前記第１外皮体４５のどれかに図６で説明したパネル１３を用いてもよい。その場合には、縦材の内側に図７で示したようガイド溝２８を形成するのがよく、口枠１４に切り欠き２９を設けてもよい。
さらに、前記縦材、外皮体、パネル、口枠、底板は、色、形状、寸法を変更したパーツに交換することによって、好みや流行に応じたデザインに変更することができる。
【００６３】
前記ファスナー３６は筒部３５の近辺ではなく、隣接する縦材のほぼ中央付近になるように設けてもよい。このようなファスナー３５の他にホック、ボタン、マジックテープ（登録商標）などのように必要に応じて連結し、分断ができるものであればよい。
また、前記筒部３５を部分的に切り欠いたり、短くするなどして、縦材を見せるようにしてもよい。
また、ファスナーを用いないで、隣接する外皮体の各筒部を互い違いに同じ縦材に挿通してもよい。
外皮体の材質としては、例えば、帆布、綿、人工または天然の皮革、ナイロン生地など、あるいはそれらとプラスチックを一体にしたものである。
前記縦材は３本以上であればよいが、例えば８本以上になると組み立てが煩雑になり、４本〜６本程度が好ましい
なお、図１０および図１４のゴルフバッグでは、連結材２０、ハンドル２１ａ、ジョイント２４を用いていないが、これらの一部または全部を用いてもよい。
【００６４】
次に図１７、図１８を用いて、本発明のゴルフバッグの外皮体のパターンを特定する方法の一例を説明する。
この方法５０（図１８参照）を実施する前の準備段階として、図１７に示すように、予め第１外皮体４５、第２外皮体４６、第３外皮体４７および４面の幅を塞ぐことのできる外皮体３５を備えた外皮体群５５が準備されている。各外皮体は塞ぐべき面の幅に応じて、例えば第１外皮体４５であるなら、前面用の幅の第１外皮体４５ａ、後面用の幅の第１外皮体４５ｂなどのように複数の寸法で用意されている。さらに、そのように複数の寸法で用意された外皮体に対して、デザインＡ、Ｂ・・のように複数の異なるデザインが用意されている。そして、前記外皮体群５５のデータ構造は、図１７に示すようなツリー構造を形成している。そのツリー構造は、例えば、上流側に塞ぐべき面数５６が置かれ、下流側に向かって塞がれる面位置５７およびデザイン５８からなる３つの項目を備えている。
【００６５】
図１８に示すよう前記方法５０は、まず塞ぐべき面の幅数を選択する、すなわち図１７の塞ぐべき面数で選別された４種の外皮体４５、４６、４７、３５から１つを選択する（Ｓ１）。
次いで、前記外皮体群５５のうち残りの面数を満たすことのできる外皮体が抽出され、その抽出された外皮体から新たな外皮体を選択する（Ｓ２）。例えば最初に２面を塞ぐことのできる第２外皮体４６を選択したなら、第３外皮体４７および外皮体３５は選択肢から削除される。
このステップＳ１、Ｓ２を繰り返して、１つの外皮体パターン５９を決定する（Ｓ３）。
【００６６】
この方法５０は、プログラムとして実行できる。
例えば、サーバで実行されるプログラムである。そのサーバとしては、例えばコンピュータが用いられる。
そのコンピュータはＣＰＵを備えたものである。そのＣＰＵには、不揮発性メモリ、揮発性メモリ、光を用いた記憶デバイス（例えば、ＤＶＤ）、あるいは磁気を用いた記憶デバイスなどのデバイスを読み込むドライブおよび外部とネットワークを介して通信するための通信回路がバスラインを介して接続されている。さらに、前記不揮発性メモリには、データテーブル（外皮体群５５）または方法５０のプログラム、さらにはＯＳ（オペレーティングシステム）が記録されている。
そのプログラムは、前記ＯＳの機能を利用して、または単独で動作するものである。例えば、前記プログラムおよびＯＳは、ＤＶＤに記憶されており、ドライブあるいは通信回路を介して、不揮発性メモリにインストールされる。
【００６７】
前記サーバはインターネットを介して、例えばコンピュータやスマートフォンなどの購入者端末と通信可能に接続されている。その購入者端末には、ウェブブラウザがインストールされており、サーバから送信される情報を画面に表示したり、その画面を操作することにより、サーバに選択した外皮体の情報を送信することができる。
【００６８】
なお、前記項目の塞がれる面位置５７およびデザイン５８は、前の項目の属性にリンクされていてもよい。例えば、デザインＡであるなら、塞がれる面位置が「前」で、塞ぐべき面数が「１面」である。さらに、塞がれる面位置が「前４５ａ」であるなら、塞ぐべき面数が「１面」である。このツリー構造の各データは、このようなリンク情報も併せて、データテーブルに記憶される。このため、前記ステップＳ１において、デザイン側から選択し、ステップＳ２を経て、１つの外皮体パターン５９を決定してもよい。
さらに、決定された外皮体パターン５６の画像を前記メモリに保存し、コンピュータの画面に表示させてもよい。そしてさらに、新たな外皮体パターンを選択して、２つの外皮体の画像のパターンを見比べることができるようにしてもよい。
【００６９】
前記方法５０は、１つの外皮体パターン５９を有するゴルフバッグの製造方法として実行することもできる。この場合、決定された１つの外皮体パターン５９を縦材フレーム３４に通し、さらに口枠１４および底板１５を取り付けて、１つの外皮体パターン５９を有するゴルフバッグを製造する。
【符号の説明】
【００７０】
１０  ゴルフバッグ
１１  フレーム
１２  袋体
１３  パネル
１３ａ  湾曲部
１４  口枠
１４ａ  口枠の芯材
１４ｂ  口枠のカバー
１４ｃ  貫通孔（連結部）
１４ｄ  スリット
１４ｅ  取付穴
１４ｆ  嵌合部
１４ｇ  バックル
１４ｈ  ハンガー
１５  底板
１５ａ  底板の芯材
１５ｂ  底枠のカバー
１５ｃ  嵌合穴（連結部）
１６  縦材（左前）
１７  縦材（右前）
１８  縦材（左後）
１９  縦材（右後）
２０  連結材
２１  ハンドル
２１ａ  腕部（空洞）
２１ｂ  腕部
２１ｃ  ベルト
２２  支持材
２３  止めベルト
２４  ジョイント
２４ａ  筒状部
２４ｂ  分岐筒状部
２５  副袋
２５ａ  止めベルト
２５ｂ  帯
２６  前ポケット
２７  渡り部材
２７ａ  孔
２８  ガイド溝
２９  切り欠き
３０  固定爪
３０ａ  突出部
３１  ゴルフバッグのデザイン変更システム
３２  ゴルフバッグ
３３  外皮体（４面を塞ぐことのできる幅を有している）
３４  縦材フレーム
３５  筒部
３５ａ  筒部（左右の第１外皮体４５ｃ、４５ｃ）
３５ｂ  筒部（前後の第１外皮体４５ａ、４５ｂ）
３６  ファスナー
３７  ネジ
３８  軸
３９  金具
４０  締結紐
４１  ゴルフバッグ
４２  ゴルフバッグ
４３  ゴルフバッグ
４４  ゴルフバッグ
４５  第１外皮体
４５ａ  第１外皮体
４５ｂ  第１外皮体
４５ｃ  第１外皮体
４６  第２外皮体
４６ａ  第２外皮体
４６ｂ  第２外皮体
４７  第３外皮体
４７ａ  第３外皮体
４７ｂ  第３外皮体
４８  ゴルフバッグ
４９  小径の筒部
５０  棒状部材
５１  延長部
５２  ベルト
５３  環状部
５４  方法
５５  外皮体群５５
５６  塞ぐべき面数
５７  塞がれる面位置
５８  デザイン
５９  外皮体パターン
【図１】
2016005546.tif 000003
【図２】
2016005546.tif 000004
【図３】
2016005546.tif 000005
【図４】
2016005546.tif 000006
【図５】
2016005546.tif 000007
【図６】
2016005546.tif 000008
【図７】
2016005546.tif 000009
【図８】
2016005546.tif 000010
【図９】
2016005546.tif 000011
【図１０】
2016005546.tif 000012
【図１１】
2016005546.tif 000013
【図１２】
2016005546.tif 000014
【図１３】
2016005546.tif 000015
【図１４】
2016005546.tif 000016
【図１５】
2016005546.tif 000017
【図１６】
2016005546.tif 000018
【図１７】
2016005546.tif 000019
【図１８】
2016005546.tif 000020